【事件の表示】
　特願２００４−２４６０３７「冷陰極蛍光ランプ」拒絶査定不服審判事件〔平成１６年１１月１８日出願公開、特開２００４−３２７４５８〕について、次のとおり審決する。
【結　論】
　本件審判の請求は、成り立たない。
【理　由】
１　手続の経緯
　本願は、平成１３年３月２８日に出願された特願２００１−９１５２４号（以下、「原出願」という。）の一部を平成１６年８月２６日に新たな特許出願としたものであって、平成１７年１０月１３日付け（発送日平成１７年１０月１８日）で拒絶査定され、この査定を不服として、平成１７年１１月１７日に拒絶査定に対する審判請求がなされるとともに、平成１７年１２月１９日付けで手続補正がなされた。
　その後、当審において、平成１９年５月１４日付けの補正の却下の決定により、平成１７年１２月１９日付けの手続補正は却下され、同日付けで拒絶の理由が通知されたところ、平成１９年６月２２日付けで手続補正がなされたものである。
　
２　本願発明
　本願の請求項１〜４に係る発明は、平成１７年５月１８日付け手続補正書及び平成１９年６月２２日付け手続補正書により補正された特許請求の範囲、明細書及び図面の記載からみて、その特許請求の範囲の請求項１〜４に記載された事項により特定されるとおりのものと認められるところ、本願の請求項１に係る発明（以下、「本願第１発明」という。）は次のとおりである。
　「【請求項１】密封されるとともに内面に蛍光体が塗布された発光管の端部に有底の筒状電極を設け、放電によって前記発光管の内部で発生した紫外線で前記発光管に設けた蛍光体を励起し可視光を得る冷陰極蛍光ランプであって、前記発光管の内径（Ｄ１）が１〜６ｍｍの範囲であり、前記筒状電極の外径（Ｄ２）をＤ１−０．４≦Ｄ２＜Ｄ１ｍｍの範囲で規制し、かつ前記筒状電極の開口部側の外周面の約１／４以上は２層以上で構成され、内層が基体金属であり、その外層を形成する材料の仕事関数が内層を形成する材料の仕事関数よりも大きいことを特徴とする冷陰極蛍光ランプ。」
　
３　引用例
（１）当審で通知した拒絶の理由に引用された原出願の出願前に頒布された刊行物である特開２００１−７６６１７号公報（公開日平成１３年３月２３日。以下、「引用例１」という。）には、図面と共に以下の事項が記載されている。
　　ア　「【００１５】以下、本発明の代表的な構成を記述すると、下記のとおりである。すなわち、（１）：外套管の放電領域側に開口部を有し、この開口部と反対側端に有する底部外壁に上記外套管の外側から電力を導入するための導入線を溶接したカップ状電極を上記外套管の両端内部に具備した放電管であって、前記外套管の前記カップ状電極の近傍内壁に金属またはその化合物を主成分とするスパッタ膜を有することを特徴とする。・・・【００１６】カップ状電極の内側表面に当該電極材料の溶接により生じた金属ヒゥームの膜を形成した場合も、電極材料以外の金属又は金属化合物の膜を形成した場合も、これらの膜は放電管のエージング時にスパッタされ、外套管の内壁にスパッタ膜を形成する。・・・また、金属ヒゥーム、電極材料以外の金属及び金属化合物のいずれかによりカップ状電極の内側表面に形成された膜は、エージング後も部分的に当該内側表面上に残り、これにより覆われた電極表面をスパッタによる摩耗から保護する。その理由は、当該電極表面において放電は生じるものの、これによるスパッタは上記金属ヒゥーム、上記電極材料以外の金属又は金属化合物の膜に対して主に生じることにある。電極材料以外の金属又は金属化合物（例えば、金属酸化物）を用いる場合、これらを構成する金属は電極材料を構成する金属材料より仕事関数が小さいものを選ぶとよい。【００１７】仕事関数が小である金属の例としては、カリウム、ナトリウム、セシウム、モリブデン、などがある。」
　　イ　「【００３７】【発明の実施の形態】以下、本発明の実施の形態につき、実施例の図面を参照して詳細に説明する。以下の実施例では、外套管に耐熱ガラス材料を用いた液晶表示装置の照明装置に用いるための放電管（冷陰極蛍光灯）に本発明を適用した場合を例として説明する。【００３８】図１は本発明の１実施例を説明する放電管の要部断面図である。この放電管は外套管であるガラス管１の両端内部に電極２を収容してある。図１では一端部のみを示してある。【００３９】ガラス管１の内面には蛍光体層９が塗布されており、電極２はカップ状で、その一端にある開口部は主放電領域（両電極の間の領域：以下、単に放電領域）に向き、底部の外壁にはガラスの熱膨張率に近似する金属であるニッケル−コバルト−鉄合金の導入線３がレーザ溶接されている。溶接部を符号６で示す。【００４０】この導入線３はガラスビーズ５に支持され、ガラス管１の内外を気密状態で貫通している。ガラスビーズ５はガラス管１の端部に溶着してガラス管１を封じ切りし、外部に突出した導入線３にはニッケル線４が溶接部７で溶接されている。ニッケル線４は図示しない電源回路（一般にインバータ）に接続されて、電極２に点灯電力を供給する。そして、ガラス管１の内壁で、電極２の近傍にはスパッタ膜１０が形成されている。本実施例の第１形態では、スパッタ膜１０を電極材料、即ちニッケル（Ｎｉ）の金属ヒゥームで形成する。また、この第２形態ではスパッタ膜１０をニッケルより仕事関数の低いセシウム（Ｃｓ）で形成する。」
　　ウ　「【００５３】図５は本発明の放電管を構成する電極の構造と構成過程の説明図である。先ず、ニッケル−コバルト−鉄合金からなる導入線３の一端側に給電線４を溶接する（同図（ａ））。・・・次いで、導入線３にガラス・パイプをはめ、加熱溶融させてガラスビーズ５に成形する（同図（ｂ））。ガラス・パイプは、上記ニッケル−コバルト−鉄合金に近い熱膨張率を有する硼珪酸ガラス（硬質ガラス）製のものを用いる。【００５４】次に、カップ状電極２の底部外面に導入線３の他端をレーザ溶接して電極組立を形成する（同図（ｃ））。本実施例の第２形態の場合、この電極２の内壁には後述する方法で仕事関数が小なる金属材料またはその酸化物の層が形成されている。」
　　エ　「【００５５】本実施例で用いるカップ状電極と外套管の寸法的な関係を図６（ａ）の断面図を用いて説明する。【００５６】本実施例では、ガラス管１の内径Ｒ２に対し、カップ状電極２の円筒部の外径Ｒ１を、エージング時のカップ内での放電がカップ外周に回らない程度の大きさに設定する。Ｒ１が小さいと、カップ状電極２内の放電がその外周に及び、カップ状電極２の外周にて当該電極表面がスパッタされる。・・・【００５７】カップ状電極２の円筒部の外径Ｒ１をある程度大きくすると、カップ状電極２内部の放電に比べて、その外周の放電は弱まり、領域ａにおけるガラス管１内壁における電極材料のスパッタ膜の形成は、その弊害が無視できる程度に抑えられる。このような条件を満たす上記Ｒ１とＲ２の比率は、放電管製品の保証値（エージング条件）と動作定格値として定められる電流値に依存する。例えば、保証電流値を８ｍＡ、定格電流値を６ｍＡとした場合、Ｒ２＝２ｍｍに対して、Ｒ１は１．６ｍｍ以上、望ましくは１．７ｍｍ以上となる。換言すれば、カップ状電極２の円筒部（特に開口部）の外径Ｒ１は、ガラス管１の内径の８０％以上、望ましくは８５％以上に設定することになる。一方、カップ状電極２の円筒部の外径Ｒ１の上限は、これをガラス管１に組み込む加工精度に依存し、上記Ｒ２＝２ｍｍのガラス管１を用いる本実施例の場合、Ｒ１は１．８ｍｍ以下（Ｒ２の９０％以下）に設定することになった。なお、カップ状電極２の円筒部の外径Ｒ１のガラス管１の内径Ｒ２に対する比率の下限は、これを利用する放電管の保証電流値や定格電流値が低くなるほど下がる。」
　
　そうすると、
　・上記イから、ガラス管１の内面に蛍光体層９が塗布され、電極２はカップ状である冷陰極蛍光灯が読み取れ、当該冷陰極蛍光灯は、放電によってガラス管１の内部で発生した紫外線で蛍光体層９を励起し可視光を得るものであることが明らかである。
　・上記エから、定格電流値６ｍＡの場合について、Ｒ２＝２ｍｍに対して、Ｒ１は、１．６ｍｍ以上、かつ、１．８ｍｍ以下に設定すること、すなわち、１．６ｍｍ≦Ｒ１≦１．８ｍｍの範囲で設定することが読み取れる。
　・上記ア中の記載「金属ヒゥーム、電極材料以外の金属及び金属化合物のいずれかによりカップ状電極の内側表面に形成された膜は、エージング後も部分的に当該内側表面上に残り、これにより覆われた電極表面をスパッタによる摩耗から保護する・・・電極材料以外の金属又は金属化合物（例えば、金属酸化物）を用いる場合、これらを構成する金属は電極材料を構成する金属材料より仕事関数が小さいものを選ぶとよい」及び「仕事関数が小である金属の例としては、カリウム、ナトリウム、セシウム、モリブデン、などがある」から、電極材料以外の金属よりカップ状電極の内側表面に形成された膜は、エージング後も部分的に内側表面上に残り、当該金属はカップ状電極を構成する金属材料より仕事関数が小さいモリブデンなどであることが読み取れる。
　したがって、上記引用例１には次の発明（以下、「引用発明」という。）が記載されているものと認める。
【引用発明】
　「密封されるとともに内面に蛍光体層９が塗布されたガラス管１の端部にニッケルのカップ状電極２を設け、放電によってガラス管１の内部で発生した紫外線で蛍光体層９を励起し可視光を得る冷陰極蛍光灯であって、ガラス管１の内径Ｒ２がＲ２＝２ｍｍであり、カップ状電極２の円筒部の外径Ｒ１を１．６ｍｍ≦Ｒ１≦１．８ｍｍの範囲で規制し、電極材料以外の金属よりカップ状電極２の内側表面に形成され、エージング後に部分的にカップ状電極２の内側表面上に残った膜を有し、前記膜を構成する金属の仕事関数は、カップ状電極２を構成する材料の仕事関数より小さい冷陰極蛍光灯。」
　
（２）同じく引用された原出願の出願前に頒布された刊行物である特開２０００−３３１６４３号公報（以下、「引用例２」という。）には、図面と共に以下の事項が記載されている。
　　ア　「【０００１】【発明の属する技術分野】本発明は蛍光ランプに関し、特にたとえば、冷陰極蛍光ランプに関する。」
　　イ　「【００２７】【実施例】以下、本発明の蛍光ランプの一例について、実施例を用いて詳細に説明する。【００２８】（実施例１）実施例１では、実施形態１で説明した蛍光ランプ１０の一例について説明する。【００２９】図１を参照して、実施例１の蛍光ランプは、ニッケル等からなる外径１．０ｍｍ、内径０．８ｍｍ、長さ３．０ｍｍの金属スリーブ１２ａの一端にタングステン等からなる外径０．６ｍｍの内部リード線１５が挿入され、当該金属スリーブ１２ａの一端が圧潰溶接されて両者が接続されている。【００３０】ガラスバルブ１１は外径２．１ｍｍ、内径１．５ｍｍのホウケイ酸ガラス等からなり、ガラスバルブ１１の両端部に電極１２が配置されている。電極１２は、ＢａＯ１−Ａ（ただし、０≦Ａ≦１）およびＳｒＯ１−Ｂ（ただし、０≦Ｂ≦１）とガラスとを含むエミッタ１２ｂを備える。」
　　ウ　図面の図１には、エミッタ１２ｂは金属スリーブ１２ａの内面全体に描かれている。
　以上イ〜ウからみて、引用例２には、
「金属スリーブ１２ａの内面全体にエミッタ１２ｂを備えた冷陰極蛍光ランプの筒状電極構造」
が、記載されているものと認める。
　
３　対比
　本願第１発明と引用発明を対比する。
（１）引用発明の「蛍光体層９」、「ガラス管１」、「カップ状電極２」、「ガラス管１の内径Ｒ２」、「カップ状電極２の円筒部の外径Ｒ１」、「冷陰極蛍光灯」が、それぞれ、本願第１発明の「蛍光体」、「発光管」、「有底の筒状電極」、「発光管の内径（Ｄ１）」、「筒状電極の外径（Ｄ２）」、「冷陰極蛍光ランプ」に相当する。
（２）引用発明の「ガラス管１の内径Ｒ２がＲ２＝２ｍｍであり」は、本願第１発明の「発光管の内径（Ｄ１）が１〜６ｍｍの範囲であり」に含まれる。そして、本願第１発明の「筒状電極の外径（Ｄ２）をＤ１−０．４≦Ｄ２＜Ｄ１ｍｍの範囲で規制し」と、引用発明の「カップ状電極２の円筒部の外径Ｒ１を１．６ｍｍ≦Ｒ１≦１．８ｍｍの範囲で規制し」とは、共に「筒状電極の外径（Ｄ２）を所定の範囲で規制し」の点で共通する。
（３）引用発明の「エージング後に部分的にカップ状電極２の内側表面上に残った膜」が本願第１発明の「内層」に相当し、引用発明の「ニッケルのカップ状電極２」が本願第１発明の「外層」に相当する。そうすると、引用発明においても、上記膜の存する部分では２層で構成されているから、引用発明の「エージング後に部分的にカップ状電極２の内側表面上に残った膜を有し」と本願第１発明の「筒状電極の開口部側の外周面の約１／４以上は２層以上で構成され」とは、共に「２層以上で構成され」る点で共通する。
（４）引用発明の「膜を構成する金属の仕事関数は、カップ状電極２を構成する材料の仕事関数より小さい」ことは、カップ状電極２を構成する材料の仕事関数の方からみれば、『カップ状電極２を構成する材料の仕事関数は、膜を構成する金属の仕事関数よりも大きい』ことに他ならないから、本願第１発明の「外層を形成する材料の仕事関数が内層を形成する材料の仕事関数よりも大きいこと」に相当する。
　以上（１）〜（４）の考察から、両者は、
【一致点】
　「密封されるとともに内面に蛍光体が塗布された発光管の端部に有底の筒状電極を設け、放電によって前記発光管の内部で発生した紫外線で前記発光管に設けた蛍光体を励起し可視光を得る冷陰極蛍光ランプであって、前記発光管の内径（Ｄ１）が１〜６ｍｍの範囲であり、前記筒状電極の外径（Ｄ２）を所定の範囲で規制し、かつ前記筒状電極は２層以上で構成され、内層が金属であり、その外層を形成する材料の仕事関数が内層を形成する材料の仕事関数よりも大きいことを特徴とする冷陰極蛍光ランプ。」
である点で一致し、次の相違点１及び２で相違する。
【相違点】
　相違点１：所定の範囲に関して、本願第１発明では「Ｄ１−０．４≦Ｄ２＜Ｄ１ｍｍ」の範囲であるのに対して、引用発明では「Ｒ２＝２ｍｍに対して、Ｒ１を１．６ｍｍ≦Ｒ１≦１．８ｍｍ」の範囲である点。
　相違点２：２層以上で構成される点について、本願第１発明では、「筒状電極の開口部側の外周面の約１／４以上は」２層以上で構成され、かつ、「内層が基体金属」であるのに対して、引用発明では、２層で構成される部分の割合が不明であり、膜（「内層」に相当）は金属から構成されるものの、基体金属とはいえない点。
　
４　判断
　上記相違点について検討する。
　相違点１については、引用発明のＲ２（本願第１発明の「Ｄ１」に相当）の値Ｒ２＝２ｍｍを、本願第１発明の不等式のＤ１に代入すると、２−０．４≦Ｄ２＜２ｍｍすなわち１．６≦Ｄ２＜２ｍｍとなるから、引用発明のＲ１（本願第１発明の「Ｄ２」に相当）の数値範囲１．６ｍｍ≦Ｒ１≦１．８ｍｍは、本願第１発明のＤ１＝２ｍｍにおけるＤ２の数値範囲１．６≦Ｄ２＜２ｍｍ内に含まれることとなる。しかも、引用発明のＲ２＝２ｍｍの値は例示的に示されたものであるから、引用発明の数値範囲をＤ１−０．４≦Ｄ２＜Ｄ１ｍｍに変更して本願第１発明のごとく構成することは当業者が容易になし得た設計的事項である。
　次に、相違点２について検討する。
　引用例２には、金属スリーブ１２ａの内面全体にエミッタ１２ｂを備えた冷陰極蛍光ランプの筒状電極構造が記載されており、この場合筒状電極の開口部側の外周面の全体が２層で構成されるものと解される。そして、引用発明の電極と引用例２記載の筒状電極構造とは、共に冷陰極蛍光ランプにおける２層で構成された筒状電極である点で同一技術分野に属するというべきであるから、引用発明に引用例２記載の電極構造を適用することに困難性はない。そうすると、引用発明の膜に、引用例２記載のエミッタ層１２ｂの配置構造を適用して、引用発明の膜をカップ状電極２の内面全体に設けることは当業者が容易になし得ることであり、膜をカップ状電極２の内面全体に設ければ、カップ状電極２の外周面の全体、すなわち、外周面の１／４以上が２層で構成されることとなる。そして、引用発明の膜を構成する金属の例として、引用例１にはモリブデンが例示（上記記載事項ア中の「電極材料以外の金属又は・・・を用いる場合、これらを構成する金属は電極材料を構成する金属材料より仕事関数が小さいものを選ぶとよい。・・・仕事関数が小である金属の例としては、・・・モリブデン、などがある」参照）されており、モリブデンが電極の基体として普通に使用される金属であることは技術常識であるから、膜をカップ状電極２の内面全体に設ける際に、膜を構成する金属としてモリブデンなどの電極の基体金属たり得る金属を採用して膜の方を基体金属に変更することも当業者が容易になし得ることである。したがって、引用発明に引用例２記載の筒状電極構造を適用して本願第１発明のごとく構成することは当業者が容易に想到し得たものである。
　そして、本願第１発明の奏する効果についても、上記引用例１及び２に記載された事項に基づいて当業者が予測できる範囲内のものである。
　
５　むすび
　以上のとおりであるから、本願第１発明は、引用発明及び引用例２に記載された発明に基づいて当業者が容易に発明をすることができたものであり、特許法第２９条第２項の規定により特許を受けることができない。
　そして、本願第１発明が特許を受けることができないものであるから、その余の請求項２〜４に係る発明について検討するまでもなく、本願は拒絶すべきものである。
　よって、結論のとおり審決する。